(57)【要約】【課題】内部に留まった紙片を取り出しやすい。【解決手段】ボックスペーパー１は、箱型容器２とこれに収容された複数枚の紙片３とを有している。箱型容器２には、上面２ａ及び側面２ｂに跨る取り出し口４が形成されている。取り出し口４は、両端部４１及び４２、狭窄部４３及び４４、並びに、突出部４５及び４６を有している。突出部４５は、上面２ａに形成されており、辺２ｃから辺２ｄに向かって両端部４１及び４２のいずれよりも突出している。突出部４６は、側面２ｂに形成されており、辺２ｃから辺２ｅに向かって両端部４１及び４２のいずれよりも突出している。【選択図】図１
2013119431.tif 000002
【特許請求の範囲】
【請求項１】
複数枚の積層された紙片を収容するための包装用容器であって、
直方体の概略形状を有する箱体と、
前記箱体において隣り合う２表面に跨る紙片の取り出し口、又は、当該取り出し口を形成するために当該取り出し口の輪郭に沿って飛び飛びに形成された切り込みとを備えており、
前記取り出し口が、
前記２表面の境界に沿った境界方向に関する両端部と、前記両端部同士の間にあって、前記境界方向に直交する方向に関して窄まった第１及び第２の狭窄部と、前記第１及び第２の狭窄部同士の間にあって、前記２表面の少なくともいずれかにおける前記境界とは反対側の端部に向かって前記両端部よりも突出する突出部とを有していることを特徴とする紙片の包装用容器。
【請求項２】
前記両端部において前記境界と交わる部分が、前記境界方向に関して外側に向かって先鋭に形成されていることを特徴とする請求項１に記載の紙片の包装用容器。
【請求項３】
請求項１又は２に記載の包装用容器と、
前記包装用容器内に、互いに折り重ねられつつ積層された状態で収容された複数枚の紙片とを備えており、
前記取り出し口が、前記境界方向に関して前記包装用容器内の前記紙片より内側に形成されていることを特徴とする請求項１に記載の紙片包装体。
【発明の詳細な説明】
【技術分野】
【０００１】
本発明は、紙片の包装用容器、特に、複数枚の積層された紙片を収容するための包装用容器及び紙片包装体に関する。
【背景技術】
【０００２】
複数枚の積層された紙片の包装用容器には、内部の紙片を取り出す取り出し口が形成されているものがある。特許文献１は、取り出し口を上面に形成すると共に、箱体の辺の部分を跨ぐ位置にも紙片（ティッシュペーパー）の取り出し口を設けることで、様々な取り出し口から内部の紙片を取り出せるようにしたものである。
【先行技術文献】
【特許文献】
【０００３】
【特許文献１】特開２００９−２２０８５９号公報
【発明の概要】
【発明が解決しようとする課題】
【０００４】
特許文献１のような包装用容器から紙片を取り出す際、紙片の状態によって、取り出しやすさが異なる場合がある。例えば、紙片の一部が取り出し口からはみ出ている状態であれば取り出しやすい。一方、紙片が全くはみ出ておらず、箱体内に留まっている状態では、取り出し口からつまみ出さなければならないため、取り出しにくい。
【０００５】
本発明の目的は、内部に留まった紙片を取り出しやすい取り出し口を有する紙片の包装用容器及び紙片包装体を提供することにある。
【課題を解決するための手段】
【０００６】
本発明の紙片の包装用容器は、複数枚の積層された紙片を収容するための包装用容器であって、直方体の概略形状を有する箱体と、前記箱体において隣り合う２表面に跨る紙片の取り出し口、又は、当該取り出し口を形成するために当該取り出し口の輪郭に沿って飛び飛びに形成された切り込みとを備えており、前記取り出し口が、前記２表面の境界に沿った境界方向に関する両端部と、前記両端部同士の間にあって、前記境界方向に直交する方向に関して窄まった第１及び第２の狭窄部と、前記第１及び第２の狭窄部同士の間にあって、前記２表面の少なくともいずれかにおける前記境界とは反対側の端部に向かって前記両端部よりも突出する突出部とを有している。
【０００７】
また、本発明の紙片包装体は、上記の包装用容器を備えていると共に、その包装用容器内に、積層された状態で収容された複数枚の紙片とを備えており、前記取り出し口が、前記境界方向に関して前記包装用容器内の前記紙片より内側に形成されている。
【発明の効果】
【０００８】
本発明の包装用容器は、取り出し口（又は、切り込み）が、境界とは反対側に向かって両端部よりも突出した突出部を有している。つまり、取り出し口（又は、切り込み）が、表面に沿って大きく切れ込んでいる。したがって、箱体の奥に紙片が留まってしまっても、この切れ込んだ突出部を通じて内部の紙片を取り出せるため、紙片を取り出しやすい。
【０００９】
本発明の紙片包装体は、互いに折り重なりつつ積層した状態で紙片を収容している。したがって、１枚の紙片を取り出すと、これに連なって、次の紙片が取り出し口から引き出されやすい。次の紙片が取り出し口から引き出されると、次回に紙片を引き出しやすい。また、取り出し口が内部の紙片より内側に形成されている。したがって、取り出し口を介して紙片を取り出す際、紙片が幅を絞られながら取り出し口を通過する。これにより、引き出す紙片と次の紙片とが絡みやすく、連なって引き出されやすい。
【図面の簡単な説明】
【００１０】
【図１】本発明の一実施形態に係るボックスペーパーの斜視図である。
【図２】紙片を折り重ねて積層体を構成する様子を図示した斜視図である。
【図３】ボックスペーパーを構成する箱型容器を組み立てる前の構成に対応する展開体である。
【図４】ボックスペーパーの取り出し口の変形例である。
【発明を実施するための形態】
【００１１】
以下、本発明の一実施形態に係るボックスペーパー１（紙片の包装体）について、図１〜図３を参照しつつ説明する。ボックスペーパー１は、箱型容器２（箱体）と、その内部に収容された複数枚の紙片３とを有している。紙片３は、矩形の平面形状を有しており、それぞれ２つ折にされつつ、図２に示すように互い違いに折り重なりながら積層されている。これにより、紙片３の積層体３ｇが構成されている。箱型容器２は、直方体の概略形状を有しており、中空の内包空間を有している。箱型容器２の外壁は、厚紙や合成樹脂等からなる薄板により構成されている。紙片３の積層体３ｇは、図１に示すように、境界方向に関して内包空間のほぼ幅いっぱいに収容されている。積層体３ｇにおいて、紙片３の積層方向は、鉛直方向に沿っている。
【００１２】
箱型容器２には紙片３を取り出す取り出し口４が形成されている。取り出し口４は、箱型容器２の外壁を貫通しており、内包空間と外部とを連通させている。取り出し口４は、箱型容器２の上面２ａと、その上面２ａと隣り合う側面２ｂとに跨っている。取り出し口４の輪郭は、上面２ａと側面２ｂとの境界である辺２ｃに２箇所で交差している。この２箇所は、辺２ｃに沿った方向（以下、境界方向とする）に関して両端の点４ａ及び４ｂである。取り出し口４は、境界方向に関して外側に向かって、つまり、両端４ａ及び４ｂに向かって先細りに形成されている。取り出し口４の輪郭において、点４ａ及び４ｂ以外の点は、境界方向に直交する方向に関して辺２ｃから離隔している。また、取り出し口４の輪郭において、取り出し口４内に向かって先鋭に尖った部分はなく、点４ａ及び４ｂ以外の部分では滑らかに連続している。取り出し口４は、境界方向に関して辺２ｃの範囲内に形成されている。また、取り出し口４は、境界方向に関して、内部に収容された紙片３の積層体３ｇより内側に形成されている。つまり、境界方向に関して、取り出し口４における幅は、積層体３ｇの幅より小さい。
【００１３】
取り出し口４の境界方向に関する両端部である端部４１と端部４２との間には、狭窄部４３及び４４（第１及び第２の狭窄部）が形成されている。狭窄部４３及び４４は、境界方向に直交する方向に関して取り出し口４が窄まった部分である。狭窄部４３及び４４は、取り出し口４において唯一、辺２ｃに向かって突出する部分でもある。狭窄部４３及び４４において、辺２ｃに最も近い先端は、いずれも辺２ｃから離隔している。
【００１４】
境界方向に関して狭窄部４３及び４４の間には、突出部４５及び４６が形成されている。突出部４５は、上面２ａに形成されており、辺２ｃから反対側の辺２ｄに向かって水平に突出している。つまり、積層体３ｇにおいて最も上方に配置された紙片３の表面に沿って突出している。突出部４５の先端は、端部４１及び４２のいずれよりも辺２ｄに近い。突出部４５を介して、積層体３ｇにおいて最も上方に配置された紙片３が上方へと露出する。
【００１５】
突出部４６は、側面２ｂに形成されており、辺２ｃから反対側の辺２ｅに向かって鉛直下方に突出している。つまり、積層体３ｇにおいて紙片３の積層方向に突出している。突出部４６の下端（先端）は、端部４１及び４２のいずれよりも辺２ｅに近く、箱型容器２のほぼ下面付近に配置されている。突出部４６を介して、積層体３ｇにおける紙片３の側端が露出する。また、突出部４６の下端が、箱型容器２のほぼ下面付近に配置されているため、積層体３ｇにおいて紙片３の残り枚数が少なくなっても、突出部４６の下端部を介して紙片３が外部に露出する。
【００１６】
図３に示す展開体１０２は、箱型容器２の組み立て前の構成を示している。展開体１０２は、厚紙や合成樹脂などからなる１枚の薄板である。展開体１０２は、長方形領域１１１〜１１８及び接着代領域１２１〜１２５を有している。長方形領域１１１〜１１４は、それぞれ、箱型容器２において、側面２ｂと対向する側面、上面２ａ、側面２ｂ及び下面を構成する。長方形領域１１５〜１１８は、箱型容器２において、境界方向に関して両端の側面となる。接着代領域１２１〜１２５は、箱型容器２の内部に配置され、長方形領域１１５等と接着される。長方形領域１１２及び１１３の両方に跨る領域には、取り出し口４を構成することとなる領域の外縁に沿って切り取り線１０４が形成されている。切り取り線１０４は、展開体１０２を貫通する切り込みであり、取り出し口４の輪郭となる曲線に沿って飛び飛びに形成されている。
【００１７】
展開体１０２において、長方形領域１１１〜１１８及び領域１２１〜１２５は、二点鎖線で示す折れ線に沿って互いに対して９０度折り曲げられる。折れ線１３１〜１３３に沿った箇所は、箱型容器２における辺２ｃ〜２ｅとなる。長方形領域１１６及び１１８は、長方形領域１１５及び１１７の内側に折り込まれ、これらの領域に接着剤を介して貼り付けられる。接着代領域１２１〜１２５は、長方形領域１１１〜１１８の内側に折り込まれ、長方形領域１１１及び１１５〜１１８に接着剤を介して貼り付けられる。内部に紙片３の積層体３ｇを収容した状態で、これらの領域が互いに接着されると、ボックスペーパー１が構成される。ボックスペーパー１において、切り取り線１０４に沿って箱型容器２の一部が切り取られると、図１に示すように、取り出し口４が形成される。
【００１８】
以上説明した本実施形態によると、取り出し口４が上面２ａ及び側面２ｂの両方に跨って形成されている。したがって、紙片３を取り出し口４から鉛直上方に引き出すことも、水平方向に引き出すことも可能である。図１のＰ１は、鉛直上方に引き出した紙片３の一例を破線で示しており、図１のＰ２は、水平方向に引き出した紙片３の一例を破線で示している。したがって、例えば、箱型容器２の上面２ａに別の物が載っており、このため取り出し口４の上面２ａに形成された領域が塞がっていたとしても、側面２ｂ側から紙片３を取り出せる。また、取り出し口４を介すると、積層体３ｇのうち、最も上方に配置された紙片３を引き出せる。一方、内部の紙片３は、図２に示すように、互いに折り重なりながら積層されている。このため、最も上方に配置された紙片３を引き出すと、引き出した紙片３が、その次に配置された紙片３の上半分を巻き込んで引き上げる。これにより、紙片３を取った後、取り出し口４には、紙片３の上半分が、引き出された状態となる。したがって、次回に紙片３を取り出しやすい。
【００１９】
また、本実施形態によると、取り出し口４に突出部４５及び４６が形成されている。箱型容器２内の積層体３ｇにおいて、最も上方に配置された紙片３は、突出部４５を介して上方に露出している。また、積層体３ｇにおいて紙片３の側端は、突出部４６を介して外部に露出している。紙片３を引き出した際、次の紙片３が引き上げられず、箱型容器２内に留まってしまうことがある。このように、箱型容器２内に紙片３が留まってしまっても、突出部４５及び４６を介して紙片３が露出しているため、露出した部分を引き出すことで、紙片３を再び取り出すことができる。特に、突出部４６の下端部は、箱型容器２の下面付近に配置されているため、積層体３ｇにおける紙片３の枚数が小さくなってきても、紙片３が突出部４６の下端部を介して外部に露出する。積層体３ｇにおける紙片３の残り枚数が少なくなると、箱型容器２の底部に紙片３が留まりやすくなるが、この場合にも、突出部４６の下端部を介して紙片３を取り出すことができる。
【００２０】
また、本実施形態では、取り出し口４が境界方向に関して積層体３ｇより内側に形成されている。したがって、紙片３を取り出し口４から引き出すと、この紙片３は、取り出し口４を通過する際、境界方向に関する幅が絞られる。紙片３は次の紙片３の上半分と折り重ねられてため、最上方の紙片３の幅が絞られつつ引き出されると、最上方の紙片３に重なった次の紙片３の上半分が、最上方の紙片３と共に幅が絞られつつ引き出される。一方、特許文献１では、一方の取り出し口が容器の幅いっぱいに形成されている。この場合には、紙片の幅が全く絞られないため、紙片が次の紙片と絡まずに円滑に出やすい。紙片が引き出される際、次の紙片と絡まないと、次の紙片が取り出し口から引き出されにくい。これに対して本実施形態では、最上方の紙片３と次の紙片３とが幅を絞られつつ引き出されるため、紙片３同士が絡みやすくなり、連なって引き出されやすい。したがって、紙片３を引き出した後、次の紙片３が箱型容器２内に留まらず、その上半分が引き出された状態となりやすい。
【００２１】
また、本実施形態によると、取り出し口４に狭窄部４３及び４４が形成されている。したがって、紙片３を取り出し口４から引き出すと、この紙片３は、次の紙片３と共に、狭窄部４３及び４４のそれぞれに上下方向から挟まれながら引き出される。これにより、これらの紙片３同士が互いに絡まりやすくなるため、連なって引き出されやすい。したがって、紙片３を引き出した後、次の紙片３が箱型容器２内に留まらず、その上半分が引き出された状態となりやすい。
【００２２】
また、本実施形態によると、狭窄部４３及び４４は、取り出し口４において唯一、辺２ｃに向かって突出した部分であると共に、辺２ｃに向かって突出した先端が、辺２ｃから離隔している。したがって、紙片３を引き出す際、図１のＰ１に示すように鉛直上方に引き出しても、Ｐ２に示すように水平に引き出しても、次の紙片３が狭窄部４３及び４４に引っかかりにくく、出てこなくなりにくい。
【００２３】
一般的なボックスペーパーでは、取り出し口にフィルム等を貼り付けることにより、紙片を引き出す際、次の紙片が絡んで引き出されるように構成されていることが多い。これに対し、本実施形態では、取り出し口４にフィルム等を貼り付けなくても、狭窄部４３及び４４の作用や取り出し口４を紙片３より内側に形成していることにより、紙片３を引き出す際、次の紙片３が絡んで引き出されるように構成されている。このように、本実施形態によると、フィルム等を用いず、環境保護や資源保護に寄与する構成が可能となる。
【００２４】
また、特許文献１では２つの取り出し口が形成されており、一方が上面に形成されていると共に、他方が容器の幅いっぱいに形成されている。したがって、容器全体の強度が低くなるおそれがある。これに対し、本実施形態では、取り出し口４が１つのみ形成されていると共に、箱型容器２の幅いっぱいには形成されていない。したがって、特許文献１と比べて強度が高い。
【００２５】
また、本実施形態によると、取り出し口４の両端部４１及び４２が、点４ａ及び４ｂに向かってそれぞれ先細りに形成されている。これは、以下の理由による。取り出し口４から紙片３を取り出す際、境界方向に関する紙片３の両端が両端部４１及び４２に当接する。一方で、紙片３として使用する紙が比較的硬いものであると、両端部４１及び４２に当接した部分に掛かる抵抗が大きくなる。例えば、図４の取り出し口２０４（後述）のように、先細りの領域が形成されていない場合には、両端部４１及び４２に当接した部分に掛かる抵抗が大きくなりすぎ、紙片３を取り出しづらくなるおそれがある。これに対して、本実施形態においては、上記のとおり、取り出し口４の両端部４１及び４２に先細りの部分が形成されている。紙片３の両端をこの先細りの領域に通すことにより、先細りがない場合よりも紙片３が通過する領域の幅が広がるため、紙片３において両端部４１及び４２に当接した部分に掛かる抵抗を抑えることができる。他方で、紙片３として使用する紙が比較的柔らかいものである場合には、紙片３を先細りの領域に通すと、先細りがない場合よりも紙片３が通過する領域の幅が広がるため、紙片３の幅を絞る作用が得られなくなるおそれがある。しかしながら、紙片３が比較的柔らかいものである場合には、紙片３を先細りから少しずらした領域に通すことにより、幅を絞る作用を確保できる。このように、本実施形態において先細りの領域が形成されていることにより、紙片３が比較的硬い場合にも柔らかい場合にも紙片３を取り出しやすい構成となる。
【００２６】
（変形例）
上述の実施形態では、取り出し口４に突出部４５及び４６の両方が形成されているが、これらのうち片方のみが形成されていてもよい。また、図１にはボックスペーパー１が、取り出し口４が開口した状態で図示されている。しかしながら、この部分が開口しておらず、切り取り線１０４が形成された状態も、本発明の適用範囲である。また、取り出し口４の両端部４１及び４２が点４ａ及び４ｂに向かって先細りに形成されている。しかし、図４の取り出し口２０４に示すように、境界方向に関する両端が先細りに形成されておらず、滑らかに連続していてもよい。
【符号の説明】
【００２７】
１        ボックスペーパー
２        箱型容器
２ａ      上面
２ｂ      側面
３        紙片
４        取り出し口
４１、４２  端部
４３、４４  狭窄部
４５、４６  突出部
【図１】
2013119431.tif 000003
【図２】
2013119431.tif 000004
【図３】
2013119431.tif 000005
【図４】
2013119431.tif 000006